【手続補正書】
【提出日】平成16年7月14日(2004.7.14)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】
外部操作によって特定物の表示位置を制御することができる特定物の表示装置において、
所定の条件に応じて前記特定物の表示位置を自動的に変更する手段を備え、前期外部操作によって前記特定物の表示位置が制御されない状態において、前記特定物の表示位置が前記手段によって自動的に変化された場合に、前記特定物を強調表示させることを特徴とする特定物の表示装置。
【請求項２】
請求項１記載の特定物の表示方式において、前記特定物がポインタであることを特徴とする特定物の表示装置。
【請求項３】
特定物を制御するイベントが入力されたことにより、特定物の表示位置を制御する表示装置において、前記特定物の表示位置を自動的に変更する処理装置を備え、該処理装置によって、前記特定物の表示位置を自動的に制御する内部イベントが発生した場合には、前記特定物を強調表示することを特徴とする特定物の表示装置。
【請求項４】
請求項３記載の特定物の表示方式において、前記特定物がポインタであることを特徴とする特定物の表示装置。
【請求項５】
表示されているポップアップウィンドウを消去することによって特定物が表示される表示方式において、前記ポップアップウィンドウを消去した後、前記ポップアップウィンドウを徐々に縮小して特定物が表示される位置まで誘導し、前記特定物を表示することを特徴とする特定物の表示装置。
【請求項６】
請求項５記載の特定物の表示方式において、前記特定物がポインタであることを特徴とする特定物の表示装置。
【請求項７】
請求項５記載の特定物の表示方式において、前記特定物が選択領域であることを特徴とする特定物の表示装置。
【請求項８】
ポインティングデバイスからの入力によって表示画面上のポインタを移動させ、ポップアップウィンドウを表示する時にポインタの表示位置を記憶し、ポップアップウィンドウを消去する時に記憶された位置に再表示する特定物の表示方式において、ポップアップウィンドウを消去した後、縮小ウィンドウを記憶された位置に収束するように表示した後、ポインタを記憶された位置に再表示することを特徴とする特定物の表示装置。
【請求項９】
請求項２、４又は６記載の特定物の表示方式において、前記ポインタは、画面上の位置を示すカーソルであることを特徴とする特定物の表示装置。
【手続補正３】
【補正対象書類名】明細書
【補正対象項目名】０００１
【補正方法】変更
【補正の内容】
【０００１】
【発明の属する技術分野】
本発明は表示装置に関するものであり、特に、使用者の操作に係りなく表示される特定物の表示位置を容易に確認することができる特定物の表示装置に関する。本発明は特に、ポインティングデバイスからの入力によって表示画面上のポインタの位置を指定する表示装置において、使用者のポインティングデバイスの操作とは関係なくポインタの表示位置の制御が行われる表示装置に応用して好適である。
【手続補正４】
【補正対象書類名】明細書
【補正対象項目名】０００５
【補正方法】変更
【補正の内容】
【０００５】
また、画面が変化した場合、ポインタや選択領域などの特定物が表示される位置が分からなくなることがある。そこで、本発明の目的は、特定物の表示位置を容易に認識できるようにする特定物の表示装置を提供することにある。また、本発明の他の目的は、ポインティングデバイスからの入力によらずに表示画面上のポインタを移動させた場合、ポインタを強調表示させることにより、ポインタ表示位置を把握し易くする特定物の表示装置を提供することにある。
【手続補正５】
【補正対象書類名】明細書
【補正対象項目名】０００６
【補正方法】変更
【補正の内容】
【０００６】
また、本発明のさらに他の目的は、ポップアップウィンドウを消去する時にポップアップウィンドウ表示前のポインタ位置にポインタを再表示させる場合、縮小ウィンドウをポインタの再表示位置に収束するように表示することにより、再表示後のポインタ表示位置を把握し易くする特定物の表示装置を提供することにある。
【手続補正６】
【補正対象書類名】明細書
【補正対象項目名】０００７
【補正方法】変更
【補正の内容】
【０００７】
【課題を解決するための手段】
上記の目的を達成するために、本発明の特定物の表示装置においては、外部からの操作に関係なく表示画面上の位置が定められる特定物の位置を容易に確認できるようにしている。
【手続補正７】
【補正対象書類名】明細書
【補正対象項目名】０００８
【補正方法】変更
【補正の内容】
【０００８】
この特定物の表示装置において、前記特定物は強調表示される。また、この特定物の表示装置において、画面に表示されているウィンドウを縮小して前記特定物の位置に誘導している。また、この特定物の表示装置において、表示されているウィンドウの所定の項目を指定することによって、前記ウィンドウを縮小して特定物の位置に誘導している。また、この特定物の表示装置において、画面に表示されているウィンドウを縮小して画面の端部に誘導して特定物がないことを示している。また、この特定物の表示装置において、前記ウィンドウは徐々に縮小される。また、この特定物の表示装置において、前記特定物はポインタである。また、この表示方式において、前記特定物は選択領域である。
【手続補正８】
【補正対象書類名】明細書
【補正対象項目名】０００９
【補正方法】変更
【補正の内容】
【０００９】
外部操作によって特定物の表示位置を制御することができる本発明の特定物の表示装置においては、外部操作に係らない中央処理装置からの指令によって特定物の位置が変化する場合には、前記特定物を強調表示させている。この特定物の表示装置において、前記特定物はポインタである。特定物を制御するイベントが入力されたことにより、特定物の表示を制御する本発明の表示方式においては、中央処理装置の特定物の位置を制御する内部イベントが発生した場合には、前記特定物を強調表示させる。
【手続補正９】
【補正対象書類名】明細書
【補正対象項目名】００１０
【補正方法】変更
【補正の内容】
【００１０】
この特定物の表示装置において、前記特定物はポインタである。表示されているポップアップウィンドウを消去することによって特定物が表示される本発明による表示方式においては、前記ポップアップウィンドウを消去した後、前記ポップアップウィンドウを徐々に縮小して特定物が表示される位置まで誘導し、前記特定物を表示している。
【手続補正１０】
【補正対象書類名】明細書
【補正対象項目名】００１１
【補正方法】変更
【補正の内容】
【００１１】
この特定物の表示装置において、前記特定物はポインタである。この特定物の表示装置において、前記特定物が選択領域である。
【手続補正１１】
【補正対象書類名】明細書
【補正対象項目名】００１２
【補正方法】変更
【補正の内容】
【００１２】
ポインティングデバイスからの入力によって表示画面上のポインタを移動させ、ポップアップウィンドウを表示する時にポインタの表示位置を記憶し、ポップアップウィンドウを消去する時に記憶された位置に再表示する本発明による特定物の表示装置においては、ポップアップウィンドウを消去した後、縮小ウィンドウを記憶された位置に収束するように表示した後、ポインタを記憶された位置に再表示する。この特定物の表示装置において、前記ポインタは、画面上の位置を示すカーソルである。また、本発明は、ポインティングデバイス装置からの入力によって表示画面のポインタを移動させる表示装置において、ポインティングデバイスの入力によらずにポインタ位置の制御が行われた場合に、ポインタを強調表示させるものである。また、本発明は、ポインティングデバイス装置からの入力によって表示画面のポインタを移動させる表示装置において、ポップアップウィンドウを表示する時にポインタの表示位置を記憶し、ポップアップウィンドウを消去する時に縮小ウィンドウを記憶された位置に収束するように表示するものである。
【手続補正１２】
【補正対象書類名】明細書
【補正対象項目名】００１３
【補正方法】変更
【補正の内容】
【００１３】
【発明の実施の形態】
以下、本発明による特定物の表示装置の実施の形態を幾つかの実施例を用い、図面を参照して説明する。図１は本発明による特定物の表示装置の一実施例を示すフローチャートである。このフローチャートにおいて、特定物は表示画面上を移動したポインタである。このポインタが移動した場合、まずステップ１１において、この移動が使用者の指示により行われたか、そうでないかを判断する。使用者の指示による移動でない場合（ＮＯの場合）には、ステップ１２においてポインタが強調表示され、処理は終了する。また、使用者の指示による移動の場合（ＹＥＳの場合）には、ステップ１３においてポインタが強調表示されているかどうかを判断する。ポインタが強調表示されている場合（ＹＥＳの場合）には、ステップ１４でポインタの表示を通常表示に戻して処理を終了する。強調表示されていない場合（ＮＯの場合）には、そのまま処理を終了する。
【手続補正１３】
【補正対象書類名】明細書
【補正対象項目名】００１４
【補正方法】変更
【補正の内容】
【００１４】
図２（ａ）、（ｂ）、（ｃ）は本発明による特定物の表示装置のポインタ移動時の表示の一実施例を示すための表示画面の平面図である。図２において、２１は表示画面、２２は第１のポインタ、２３は第２のポインタ、２４は第３のポインタである。この図において、実線の部分が実際に表示されるポインタを示し、点線で示したポインタは図２（ａ）〜（ｃ）での位置の対応を示すために描いたものであり、実際には表示されない。最初、図２（ａ）に示すように表示画面２１上で第１のポインタ２２は停止している。この状態において、使用者がポインティングデバイスに対して入力を行っていないのに、機器の内部ソフト等によってポインタが第２のポインタ２３の位置に移動された場合、図２（ｂ）に示すように、第２のポインタ２３は強調表示される。第２のポインタ２３が強調表示されている状態で、使用者がポインティングデバイスに対して入力することによって、ポインタが第２のポインタ２３の位置から、図２（ｃ）の第３のポインタ２３の位置に移動された場合、図２（ｃ）に示すように第３のポインタ２３は通常の大きさに表示される。この実施例において、この強調表示されたポインタが２３が本発明の特定物である。
【手続補正１４】
【補正対象書類名】明細書
【補正対象項目名】００１５
【補正方法】変更
【補正の内容】
【００１５】
図３は本発明による特定物の表示装置におけるポップアップウィンドウ消去時の処理を示すフローチャートである。
【手続補正１５】
【補正対象書類名】明細書
【補正対象項目名】００１６
【補正方法】変更
【補正の内容】
【００１６】
この処理においては、ポップアップウィンドウを消去した場合、このポップアップウィンドウを徐々に縮小してポインタが表示される位置に移動させることによって、ポインタの位置を使用者に認識させている。また、この処理においては、一回の処理、すなわちポップアップウィンドウの一回の消去で表示される縮小ウィンドウの回数は予め設定されている。これを縮小ウィンドウ表示最大回数と呼ぶ。ステップ３１によりポップアップウィンドウが消去される。ステップ３２ではポップアップウィンドウの表示位置、ポップアップウィンドウ表示時に記憶されたポインタ位置、縮小ウィンドウ表示最大回数、実際に表示される縮小ウィンドウの回数により、縮小ウィンドウの表示位置と表示サイズが計算される。ステップ３３ではステップ３２で計算された縮小ウィンドウの表示位置と表示サイズにより、縮小ウィンドウが表示される。ステップ３４ではステップ３３で表示された縮小ウィンドウを使用者が認識できるだけの時間のウェイト（待ち時間）を置く。ステップ３５ではステップ３３で表示された縮小ウィンドウが待ち時間を経過した後、これを消去する。ステップ３６ではステップ３３で縮小ウィンドウが１回表示されたため、縮小ウィンドウ表示回数に１加える。ステップ３７では縮小ウィンドウ表示回数と縮小ウィンドウ表示最大回数を比較し、等しくなければステップ３２に戻り、縮小ウィンドウ表示回数が縮小ウィンドウ表示最大回数と等しくなるまで、ステップ３２からステップ３７を繰り返す。縮小ウィンドウ表示回数と縮小ウィンドウ表示最大回数が等しくなると、ステップ３８でポインタを表示して、処理を終了する。この実施例において、ステップ３８で表示されるポインタが本発明の特定物である。
【手続補正１６】
【補正対象書類名】明細書
【補正対象項目名】００１７
【補正方法】変更
【補正の内容】
【００１７】
図４（ａ）、（ｂ）、図５（ａ）、（ｂ）は本発明による特定物の表示装置において、ポップアップウィンドウ消去時の表示の一実施例を示す表示画面の平面図である。図４、図５において、４１は表示画面、４２はポップアップウィンドウ、４３は第１の縮小ウィンドウ、４４は第２の縮小ウィンドウ、４５は特定物であるポインタである。この例では縮小ウィンドウ表示最大回数は２回である。またこの例では、実線の部分が実際に表示される部分で、点線の部分は各図での位置の対応を示すために描いたものであり、実際には表示されない。
【手続補正１７】
【補正対象書類名】明細書
【補正対象項目名】００１９
【補正方法】変更
【補正の内容】
【００１９】
次に、ポインタは表示されないが画面上に選択領域が存在する場合の例を図６、７を用いて説明する。図６（ａ）、（ｂ）、図７（ａ）、（ｂ）は本発明による特定物の表示装置において、選択領域が存在する場合のポップアップウィンドウ消去時の表示の一実施例を示す表示画面の平面図である。この実施例において、選択領域とは表示画面上の特定領域であり、画面に表示される内容によって、この領域は変化する。例えば、１つの画面に色々な情報が表示されており、その内の幾つかの情報に付いて、その情報が表示されている部分をクリックすると更に詳しい情報が別の画面に表示されるように構成されているものがある。この場合、詳しい情報が別の画面に表示される情報（仮に、選択情報と言う。）は他の情報とは異なった色で表示されたり、枠で囲ったりしてその部分が分かるように構成されている。この場合、この選択情報が表示されている部分を選択領域と言う。
【手続補正１８】
【補正対象書類名】明細書
【補正対象項目名】００２２
【補正方法】変更
【補正の内容】
【００２２】
次に、画面上にポインタが表示されておらず、かつ、画面上に選択領域が存在しない場合の例を図８，９を用いて説明する。図８（ａ）、（ｂ）、図９（ａ）、（ｂ）は本発明による特定物の表示装置において、画面上にポインタが表示されておらず、かつ、選択領域が存在しない場合の一実施例を示す表示画面の平面図である。図８、９において、６１は表示画面、６２はポップアップウィンドウ、６３は第１の縮小ウィンドウ、６４は第２の縮小ウィンドウ、６５は特定物である収束位置である。この例では縮小ウィンドウ表示最大回数は２である。またこの例では、実線の部分が実際に表示される部分で、点線の部分は各図での位置の対応を示すためのものであり、実際には表示されない。さらに実施例では収束位置６５は予め設定されているが、収束位置６５は実際には画面上に表示されない。ポップアップウィンドウのある項目をクリックした場合、その項目に関して選択領域が無い場合には、すなわち、その項目に関して表示される画面に選択領域が無い場合には、選択領域が無いことが分かるようになっていれば、使用者にとって、大変便利である。この実施例では、選択領域が無い場合にはポップアップウィンドウが徐々に縮小されて図８、図９に向って左上方に移動することによって、これを示している。
【手続補正１９】
【補正対象書類名】明細書
【補正対象項目名】図面の簡単な説明
【補正方法】変更
【補正の内容】
【図面の簡単な説明】
【図１】
本発明による特定物の表示装置の一実施例を示すフローチャートである。
【図２】
本発明による特定物の表示装置のポインタ移動時の表示の一実施例を示す表示画面の平面図である。
【図３】
本発明による特定物の表示装置におけるポップアップウィンドウ消去時の処理を示すフローチャートである。
【図４】
本発明による特定物の表示方装置おいて、ポップアップウィンドウ消去時の表示の一実施例を示す表示画面の平面図である。
【図５】
本発明による特定物の表示装置において、ポップアップウィンドウ消去時の表示の一実施例を示す表示画面の平面図である。
【図６】
本発明による特定物の表示装置において、選択領域が存在する場合のポップアップウィンドウ消去時の表示の一実施例を示す表示画面の平面図である。
【図７】
本発明による特定物の表示装置において、選択領域が存在する場合のポップアップウィンドウ消去時の表示の一実施例を示す表示画面の平面図である。
【図８】
本発明による特定物の表示装置において、画面上にポインタが表示されておらず、かつ、選択領域が存在しない場合の表示の一実施例を示す表示画面の平面図である。
【図９】
本発明による特定物の表示装置において、画面上にポインタが表示されておらず、かつ、選択領域が存在しない場合の表示の一実施例を示す表示画面の平面図である。
【図１０】
本発明によるポインタの表示装置において、前の選択領域を表示する場合の一実施例を示す表示画面の平面図である。
【図１１】
本発明によるポインタの表示装置において、前の選択領域を表示する場合の一実施例を示す表示画面の平面図である。
【図１２】
従来のポインタの表示を示す表示画面の平面図である。
【符号の説明】
２１、４１、５１、６１、７１…表示画面、２２…第１のポインタ、２３…第２のポインタ、２４…第３のポインタ、４２、５２、６２…ポップアップウィンドウ、４３、５３、６３、７２…第１の縮小ウィンドウ、４４、５４、６４、７３…第２の縮小ウィンドウ、５５、７４…選択領域、６５…収束位置。